(57)【要約】【課題】暗電流が流れるのを抑える電子機器を提供する。【解決手段】電子機器は、本体部２１と、電池２２と、負荷２３と、制御部２４と、を備える。電池２２は、本体部２１に設けられる。負荷２３は、本体部２１に設けられ、電池２２から電流が供給される。制御部２４は、所定の情報が記憶されたカード３０が本体部２１に挿入された場合に、電池２２から負荷２３に電流を供給させる。制御部２４は、カード３０が本体部２１に挿入されない場合に、電池２２から負荷２３に電流を供給させない。【選択図】図２
2015070636.tif 000002
【特許請求の範囲】
【請求項１】
本体部と、
前記本体部に設けられる電池と、
前記本体部に設けられ、前記電池から電流が供給される負荷と、
所定の情報が記憶されたカードが前記本体部に挿入された場合に、前記電池から前記負荷に電流を供給させ、前記カードが前記本体部に挿入されない場合に、前記電池から前記負荷に電流を供給させない制御部と、
を備える電子機器。
【請求項２】
前記電池と前記負荷との間に配され、前記制御部によって制御されるスイッチ部を備え、
前記制御部は、
前記カードが前記本体部に挿入された場合に、前記スイッチ部をオンにすることにより、前記電池から前記負荷に電流を供給させ、
前記カードが前記本体部に挿入されない場合に、前記スイッチ部をオフにすることにより、前記電池から前記負荷に電流を供給させない
請求項１に記載の電子機器。
【請求項３】
本体部と、
前記本体部に設けられる電池と、
前記本体部に設けられる負荷に対して、前記電池からの電流を供給する電流供給回路と、
前記本体部に設けられ、所定の情報が記憶されたカードが挿入される挿入部と、を備え、
前記電流供給回路は、
前記挿入部に前記カードが挿入された場合にオンとなって、前記電池から前記負荷に電流を供給し、
前記挿入部に前記カードが挿入されない場合にオフとなって、前記電池から前記負荷に電流を供給しない
電子機器。
【請求項４】
前記電流供給回路は、前記挿入部に前記カードが挿入された場合にオンとなり、前記挿入部に前記カードが挿入されない場合にオフとなるスイッチ部を備える
請求項３に記載の電子機器。
【発明の詳細な説明】
【技術分野】
【０００１】
本発明は、電池から負荷に電流を供給する電子機器に関する。
【背景技術】
【０００２】
電子機器には、本体部に電池が取り付けられると、電池から負荷に電流を供給するタイプがある。
【先行技術文献】
【特許文献】
【０００３】
【特許文献１】特開平７−２３５３３４号公報
【発明の概要】
【発明が解決しようとする課題】
【０００４】
上述した電子機器では、本体部に電池が取り付けられていると、電源がオフにされていても負荷に暗電流が流れる。その結果、電子機器では、電池の残量が低下する。
【０００５】
本発明は、暗電流が流れるのを抑える電子機器を提供することを目的とする。
【課題を解決するための手段】
【０００６】
電子機器は、本体部と、電池と、負荷と、制御部と、を備える。前記電池は、前記本体部に設けられる。前記負荷は、前記本体部に設けられ、前記電池から電流が供給される。前記制御部は、所定の情報が記憶されたカードが前記本体部に挿入された場合に、前記電池から前記負荷に電流を供給させる。前記制御部は、前記カードが前記本体部に挿入されない場合に、前記電池から前記負荷に電流を供給させない。
【０００７】
電子機器は、スイッチ部をさらに備える。前記スイッチ部は、前記電池と前記負荷との間に配され、前記制御部によって制御される。この場合、前記制御部は、前記カードが前記本体部に挿入された場合に、前記スイッチ部をオンにすることにより、前記電池から前記負荷に電流を供給させる。前記制御部は、前記カードが前記本体部に挿入されない場合に、前記スイッチ部をオフにすることにより、前記電池から前記負荷に電流を供給させない。
【０００８】
電子機器は、本体部と、電池と、電流供給回路と、挿入部と、を備える。前記電池は、前記本体部に設けられる。前記電流供給回路は、前記本体部に設けられる負荷に対して、前記電池からの電流を供給する。前記挿入部は、前記本体部に設けられ、所定の情報が記憶されたカードが挿入される。前記電流供給回路は、前記挿入部に前記カードが挿入された場合にオンとなって、前記電池から前記負荷に電流を供給する。前記電流供給回路は、前記挿入部に前記カードが挿入されない場合にオフとなって、前記電池から前記負荷に電流を供給しない。
【０００９】
前記電流供給回路は、スイッチ部をさらに備える。前記スイッチ部は、前記挿入部に前記カードが挿入された場合にオンとなる。前記スイッチ部は、前記挿入部に前記カードが挿入されない場合にオフとなる。
【発明の効果】
【００１０】
本発明によれば、暗電流が流れるのを抑える電子機器を提供することができる。
【図面の簡単な説明】
【００１１】
【図１】一実施形態に係るスマートフォンの外観を示す斜視図である。
【図２】一実施形態に係るスマートフォンについて説明するためのブロック図である。
【発明を実施するための形態】
【００１２】
本発明の電子機器の一実施形態について説明する。以下の実施形態は、電子機器としてスマートフォンを例示して説明する。
【００１３】
図１は、一実施形態に係るスマートフォン１の外観を示す斜視図である。
スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。ハウジング２０には、内部に配される電池２２（図２参照）を外部に取り出すための開口部が設けられていない。これは、ハウジング２０の小型化及び薄型化を実現するためである。
【００１４】
本実施形態では、フロントフェイス１Ａは、１つのユニット（第１ユニット１１）で構成される。本実施形態では、バックフェイス１Ｂとサイドフェイス１Ｃとは、１つのユニット（第２ユニット１２）で構成される。第１ユニット１１と第２ユニット１２とは、例えば、接着剤により接着されている。スマートフォン１は、いわゆる「電池取り外し不可」タイプである。
【００１５】
スマートフォン１は、タッチスクリーンディスプレイ２と、レシーバ３と、マイク４と、カメラ５とをフロントフェイス１Ａに有する。
【００１６】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１７】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１８】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。
【００１９】
図２は、一実施形態に係るスマートフォン１について説明するためのブロック図である。
スマートフォン１は、本体部２１と、電池２２と、負荷２３と、制御部２４と、電流供給回路２５と、挿入部２６と、を備える。
【００２０】
本体部２１は、スマートフォン１の本体のことである。本体部２１は、ハウジング２０ともいうことができる。
【００２１】
電池２２は、本体部２１に設けられる。電池２２は、例えば、二次電池２２である。ハウジング２０には、電池２２を挿入し、及び電池２２を取り出す開口部が設けられていない。ハウジング２０の第１ユニット１１と第２ユニット１２とは、接着剤で接着されている。このため、電池２２がスマートフォン１にセットされた場合、スマートフォン１から電池２２を取り出すことは容易でない。
【００２２】
負荷２３は、本体部２１に設けられる。負荷２３は、電池２２から電流が供給される。負荷２３は、例えば、スマートフォン１の回路である。
【００２３】
制御部２４は、所定の情報が記憶されたカード３０が本体部２１に挿入された場合に、電池２２から負荷２３に電流を供給させる。制御部２４は、カード３０が本体部２１に挿入されない場合に、電池２２から負荷２３に電流を供給させない。
【００２４】
カード３０は、本体部２１に設けられた挿入部２６に挿入される。所定の情報が記憶されたカード３０とは、例えば、加入者情報又は契約者情報等が記憶されたカードのことである。すなわち、カード３０は、例えば、ＵＩＭ（Ｕｓｅｒ  Ｉｄｅｎｔｉｔｙ  Ｍｏｄｕｌｅ）カード又はＳＩＭ（Ｓｕｂｓｃｒｉｂｅｒ  Ｉｄｅｎｔｉｔｙ  Ｍｏｄｕｌｅ）カードである。また、カード３０は、例えばＳＤカード、ｍｉｎｉＳＤカード又はｍｉｃｒｏＳＤカードであってもよい。
【００２５】
スマートフォン１が使用される場合、本体部２１（挿入部２６）には、ＵＩＭカード又はＳＩＭカードが挿入される。このため、制御部２４は、本体部２１（挿入部２６）にカード３０が挿入されたことを契機として、電池２２から負荷２３に電流を供給させる。
【００２６】
電流供給回路２５は、本体部２１に設けられる負荷２３に対して、電池２２からの電流を供給する。電流供給回路２５は、挿入部２６にカード３０が挿入された場合にオンとなって、電池２２から負荷２３に電流を供給する。すなわち、電流供給回路２５は、挿入部２６にカード３０が挿入された場合に、電池２２と負荷２３を導通させる。電流供給回路２５は、挿入部２６にカード３０が挿入されない場合にオフとなって、電池２２から負荷２３に電流を供給しない。すなわち、電流供給回路２５は、挿入部２６にカード３０が挿入されない場合に、電池２２と負荷２３とを非導通とする。
【００２７】
これにより、スマートフォン１は、本体部２１（挿入部２６）にカード３０が挿入されない場合に、電池２２と負荷２３とを非導通とするので、暗電流が流れるのを抑制することができる。すなわち、スマートフォン１が購入されることにより、ユーザによって初めて使用される場合でも、スマートフォン１は、負荷２３を起動させることができる。
【００２８】
スマートフォン１は、スイッチ部２７を有する。スイッチ部２７は、電池２２と負荷２３との間に配される。すなわち、スイッチ部２７は、電流供給回路２５に配される。スイッチ部２７は、制御部２４によって制御される。制御部２４は、カード３０が本体部２１に挿入された場合に、スイッチ部２７をオンにすることにより、電池２２から負荷２３に電流を供給させる。すなわち、スイッチ部２７は、挿入部２６にカード３０が挿入された場合にオンとなる。制御部２４は、カード３０が本体部２１に挿入されない場合に、スイッチ部２７をオフにすることにより、電池２２から負荷２３に電流を供給させない。すなわち、スイッチ部２７は、挿入部２６にカード３０が挿入されない場合にオフとなる。
【００２９】
スイッチ部２７は、例えば、電界効果トランジスタ又はトランジスタ等から構成される。スイッチ部２７は、オンとなった場合に、電池２２と負荷２３とを導通させる。すなわち、スイッチ部２７は、オンとなった場合に、短絡する。スイッチ部２７は、オフとなった場合に、電池２２と負荷２３とを非導通とする。すなわち、スイッチ部２７は、オフとなった場合に、開放になる。
【００３０】
このように、スマートフォン１は、本体部２１（挿入部２６）にカード３０が挿入されない場合に、スイッチ部２７をオフにする。スマートフォン１は、本体部２１（挿入部２６）にカード３０が挿入された場合に、スイッチ部２７をオンにする。よって、スマートフォン１は、本体部２１（挿入部２６）にカード３０が挿入されない場合には、電池２２から負荷２３に暗電流が流れないので、電池２２の放電を抑制することができる。
【００３１】
スマートフォン１は、第２スイッチ部２８を備える。第２スイッチ部２８は、本体部２１に挿入されたカード３０によってオン／オフが切り替わる。すなわち、第２スイッチ部２８は、挿入部２６にカード３０が挿入されたか否かに応じて、短絡又は開放に切り替わる。第２スイッチ部２８は、挿入部２６に配される。第２スイッチ部２８は、例えば、機械的なスイッチである。第２スイッチ部２８は、カード３０によって押されると、接点がオフ（開放）になる。第２スイッチ部２８は、カード３０によって押されないと、接点がオン（接触）になる。
【００３２】
制御部２４は、第２スイッチ部２８のオン／オフの状態に基づいて、本体部２１にカード３０が挿入されたことを検出する。例えば、制御部２４は、第２スイッチ部２８がオフとなる場合に、本体部２１にカード３０が挿入されたことを検出する。したがって、制御部２４は、第２スイッチ部２８がオフとなる場合に、スイッチ部２７をオンにすることにより、電池２２から負荷２３に電流を供給させる。制御部２４は、第２スイッチ部２８がオンとなる場合に、スイッチ部２７をオフにすることにより、電池２２から負荷２３に電流を供給させない。
【００３３】
すなわち、第２スイッチ部２８が開放になる場合に、スイッチ部２７は、導通となる。第２スイッチ部２８が短絡となる場合に、スイッチ部２７は、非導通となる。第２スイッチ部２８の短絡又は開放の状態に応じて、スイッチ部２７は、短絡及び開放のいずれか一方に切り替わる。
これにより、スマートフォン１は、カード３０が挿入されたか否かに応じて、スイッチ部２７のオン／オフを切り替えることができる。
【００３４】
次に、スマートフォン１の動作について図２を参照して説明する。
カード３０が挿入部２６に挿入されていない場合、第２スイッチ部２８は、オンになる。この場合、第２スイッチ部２８に接続される第３スイッチ部２９は、オフになる。ここで、第３スイッチ部２９は、電界効果トランジスタ又はトランジスタ等である。第３スイッチ部２９に接続される制御端子３１には、Ｈｉｇｈ信号が供給される。制御端子３１は、制御部２４に接続される。制御部２４は、制御端子３１から入力される信号に応じて、スイッチ部２７のオン／オフを切り替える。制御部２４は、Ｈｉｇｈ信号を受け付けると、スイッチ部２７をオフにする。これにより、負荷２３には、電池２２から電流が供給されない。
【００３５】
カード３０が挿入部２６に挿入された場合、第２スイッチ部２８は、オフになる。この場合、第３スイッチ部２９は、オンになる。制御端子３１には、Ｌｏｗ信号が供給される。制御部２４は、制御端子３１を介してＬｏｗ信号を受け付けると、スイッチ部２７をオンにする。これにより、負荷２３には、電池２２から電流が供給される。
【００３６】
これにより、スマートフォン１は、本体部２１（挿入部２６）にカード３０が挿入されない場合に、電池２２と負荷２３とを非導通とするので、暗電流が流れるのを抑制することができる。
すなわち、スマートフォン１は、電池２２の放電を抑制することができる。
【００３７】
本実施形態は、電子機器が上述のいわゆる「電池取り外し不可」タイプである場合に特に有効である。すなわち、本実施形態によれば、ユーザがスマートフォンを購入し、通信機能等を利用するためにＳＩＭカード或いはＵＩＭカードを装着すると初めて電流が流れるため、電池２２がスマートフォンにセットされてからスマートフォンがユーザの手に渡るまでの期間に暗電流が流れることを抑制できる。
【００３８】
上述した実施形態は、電子機器の一例としてスマートフォン１を挙げて説明した。しかし、本発明は、これに限定されない。電子機器は、電池によって電力が供給される種々の機器であればよい。
【符号の説明】
【００３９】
１  スマートフォン（電子機器）
２１  本体部
２２  電池
２３  負荷
２４  制御部
２５  電流供給回路
２６  挿入部
２７  スイッチ部
３０  カード
【図１】
2015070636.tif 000003
【図２】
2015070636.tif 000004